(57)【要約】【課題】液体を収容する収容部における、液体内の顔料の沈降を抑制できる液体噴射装置及び液体循環方法を提供する。【解決手段】本発明の液体噴射装置は、顔料を含む液体を噴射する液体噴射ヘッド５１と、液体噴射ヘッド５１に供給される液体を収容するメインタンク５２と、液体噴射ヘッド５１とメインタンク５２との間に設けられ液体を収容するサブタンク５３とを有する液体噴射装置であって、液体噴射ヘッド５１とサブタンク５３との間で液体を循環させる第１循環流路５４と、サブタンク５３とメインタンク５２との間で液体を循環させる第２循環流路５６とを有し、第１循環流路５４の流量に対する第２循環流路５６の流量の比は、液体噴射ヘッド５１内の液量に対するサブタンク５３内の液量の比以上であるという構成を採用する。【選択図】図２
2010247373.tif 000002
【特許請求の範囲】
【請求項１】
顔料を含む液体を噴射する液体噴射ヘッドと、前記液体噴射ヘッドに供給される前記液体を収容するメインタンクと、前記液体噴射ヘッドと前記メインタンクとの間に設けられ前記液体を収容するサブタンクとを有する液体噴射装置であって、
前記液体噴射ヘッドと前記サブタンクとの間で前記液体を循環させる第１循環流路と、
前記サブタンクと前記メインタンクとの間で前記液体を循環させる第２循環流路とを有し、
前記第１循環流路の流量に対する前記第２循環流路の流量の比は、前記液体噴射ヘッド内の液量に対する前記サブタンク内の液量の比以上であることを特徴とする液体噴射装置。
【請求項２】
請求項１に記載の液体噴射装置において、
前記第１循環流路の流量に対する前記第２循環流路の流量の比は、前記液体噴射ヘッド内の液量に対する前記メインタンク内の液量の比以上であることを特徴とする液体噴射装置。
【請求項３】
請求項１又は２に記載の液体噴射装置において、
前記メインタンク内の液量を検出する検出部と、
前記検出部の検出結果に基づいて、前記第２循環流路の流量を制御する制御部とを有することを特徴とする液体噴射装置。
【請求項４】
請求項１から３のいずれか一項に記載の液体噴射装置において、
前記第１循環流路の流量は、前記液体噴射ヘッドから前記液体が非噴射となる圧力を形成する流量であることを特徴とする液体噴射装置。
【請求項５】
顔料を含む液体を噴射する液体噴射ヘッドと前記液体を収容するサブタンクとの間で前記液体を循環させる第１循環工程を実施すると共に、前記サブタンクと前記液体を収容するメインタンクとの間で前記液体を循環させる第２循環工程を実施する液体循環方法であって、
前記第２循環工程では、前記第１循環工程の循環流量に対する前記第２循環工程の循環流量の比が、前記液体噴射ヘッド内の液量に対する前記サブタンク内の液量の比以上となる循環流量で、前記液体を循環させることを特徴とする液体循環方法。
【請求項６】
請求項５に記載の液体循環方法において、
前記第２循環工程では、前記第１循環工程の循環流量に対する前記第２循環工程の循環流量の比が、前記液体噴射ヘッド内の液量に対する前記メインタンク内の液量の比以上となる循環流量で、前記液体を循環させることを特徴とする液体循環方法。
【請求項７】
請求項５又は６に記載の液体循環方法において、
前記メインタンク内の液量を検出する検出工程と、
前記検出工程での検出結果に基づいて、前記第２循環工程の循環流量を調整する調整工程を備えることを特徴とする液体循環方法。
【請求項８】
請求項５から７のいずれか一項に記載の液体循環方法において、
前記第１循環工程では、前記液体噴射ヘッドから前記液体が非噴射となる圧力を形成する循環流量で、前記液体を循環させることを特徴とする液体循環方法。
【発明の詳細な説明】
【技術分野】
【０００１】
本発明は、液体噴射装置及び液体循環方法に関するものである。
【背景技術】
【０００２】
従来から、インク等の液体を液体噴射ヘッドから噴射し、記録媒体上に液体の液滴を配置し、文字や画像等を記録する液体噴射装置が知られている。
ここで、特許文献１には、液体噴射ヘッドから安定して液体を噴射するために、液体噴射ヘッドと該液体噴射ヘッドに供給される液体を収容するタンクとの間で、液体を循環させる液体噴射装置が開示されている。
【０００３】
特許文献１に開示されている液体噴射装置には、液体を収容するタンクとして、液体噴射ヘッドに供給される液体を収容するメインタンクと、液体噴射ヘッドとメインタンクとの間に設けられるサブタンクとを有している。また、液体噴射ヘッドとサブタンクとの間には第１の循環流路が設けられ、サブタンクとメインタンクとの間には第２の循環流路が設けられている。
【０００４】
液体噴射装置は液体噴射ヘッドから液体を噴射するため、液体噴射ヘッド内に貯留された液体が消費される。液体噴射ヘッド内の液体が不足すると、液体の適切な噴射が維持できない。そこで、サブタンクから液体噴射ヘッドへ第１の循環流路を介して液体を供給し、液体噴射ヘッド内に噴射に必要な液体を常に保持することで、液体噴射ヘッドからの安定した液体の噴射を確保している。
このように、特許文献１に開示されている発明の主な目的が、液体噴射ヘッドへの液体の安定供給の維持であることから、第２の循環流路の流量は、第１の循環流路と略同一の流量に設定されている。
【先行技術文献】
【特許文献】
【０００５】
【特許文献１】特開２００５−２８６７５号公報
【発明の概要】
【発明が解決しようとする課題】
【０００６】
ところで、液体噴射装置で使用される液体には顔料が含まれており、所定の時間で液体の流動を止めた場合、液体内の顔料が沈降する。もっとも、液体噴射ヘッド内に貯留される液量は少なく、第１の循環流路による循環で所定の時間内に液体噴射ヘッド内の液体はほぼ置換されるため、液体噴射ヘッド内で顔料の沈降が生じる可能性は少ないものであった。
【０００７】
しかし、メインタンクやサブタンクに収容される液量は、液体噴射ヘッド内の液量に比べ遙かに多く、また、第２の循環流路の流量は第１の循環流路の流量と略同一であるため、所定の時間内で上記タンク内の液体を全て置換することは難しく、上記タンク内で顔料の沈降が発生する虞があった。そして、このような顔料の沈降が生じた場合、液体噴射ヘッドから噴射される液体の性状が不均一となり、記録媒体上への記録品質も不安定となる虞があった。
【０００８】
本発明は、このような事情に鑑みてなされたものであって、液体を収容する収容部における、液体内の顔料の沈降を抑制できる液体噴射装置及び液体循環方法を提供することを目的とする。
【課題を解決するための手段】
【０００９】
上記課題を解決するために、本発明は以下の手段を採用する。
本発明の液体噴射装置は、顔料を含む液体を噴射する液体噴射ヘッドと、液体噴射ヘッドに供給される液体を収容するメインタンクと、液体噴射ヘッドとメインタンクとの間に設けられ液体を収容するサブタンクとを有する液体噴射装置であって、液体噴射ヘッドとサブタンクとの間で液体を循環させる第１循環流路と、サブタンクとメインタンクとの間で液体を循環させる第２循環流路とを有し、第１循環流路の流量に対する第２循環流路の流量の比は、液体噴射ヘッド内の液量に対するサブタンク内の液量の比以上であるという構成を採用する。
このような構成を採用する本発明では、第１循環流路の流量に対する第２循環流路の流量の比が、液体噴射ヘッド内の液量に対するサブタンク内の液量の比以上であるため、サブタンク及びメインタンク内に収容された液体の置換が促進される。
【００１０】
また、本発明の液体噴射装置は、第１循環流路の流量に対する第２循環流路の流量の比が、液体噴射ヘッド内の液量に対するメインタンク内の液量の比以上であるという構成を採用する。
このような構成を採用する本発明では、第１循環流路の流量に対する第２循環流路の流量の比が、液体噴射ヘッド内の液量に対するメインタンク内の液量の比以上であるため、サブタンク及びメインタンク内に収容された液体の置換が促進される。
【００１１】
また、本発明の液体噴射装置は、メインタンク内の液量を検出する検出部と、検出部の検出結果に基づいて第２循環流路の流量を制御する制御部とを有するという構成を採用する。
このような構成を採用する本発明では、例えばメインタンク内の液量が多い場合には、第２循環流路の流量を増加させることにより、サブタンク及びメインタンク内に収容された液体の置換がさらに促進される。
【００１２】
また、本発明の液体噴射装置は、第１循環流路の流量が、液体噴射ヘッドから液体が非噴射となる圧力を形成する流量であるという構成を採用する。
このような構成を採用する本発明では、第１循環流路で液体を循環させても、液体噴射ヘッドから液体が噴射・漏出しない。
【００１３】
また、本発明は、顔料を含む液体を噴射する液体噴射ヘッドと液体を収容するサブタンクとの間で液体を循環させる第１循環工程を実施すると共に、サブタンクと液体を収容するメインタンクとの間で液体を循環させる第２循環工程を実施する液体循環方法であって、第２循環工程では、第１循環工程の循環流量に対する第２循環工程の循環流量の比が、液体噴射ヘッド内の液量に対するサブタンク内の液量の比以上となる循環流量で、液体を循環させるという方法を採用する。
このような方法を採用する本発明では、第２循環工程において、第１循環工程の循環流量に対する第２循環工程の循環流量の比が、液体噴射ヘッド内の液量に対するサブタンク内の液量の比以上となる循環流量で、液体が循環するため、サブタンク及びメインタンク内に収容された液体の置換が促進される。
【００１４】
また、本発明は、第２循環工程では、第１循環工程の循環流量に対する第２循環工程の循環流量の比が、液体噴射ヘッド内の液量に対するメインタンク内の液量の比以上となる循環流量で、液体を循環させるという方法を採用する。
このような方法を採用する本発明では、第２循環工程において、第１循環工程の循環流量に対する第２循環工程の循環流量の比が、液体噴射ヘッド内の液量に対するメインタンク内の液量の比以上となる循環流量で、液体が循環するため、サブタンク及びメインタンク内に収容された液体の置換が促進される。
【００１５】
また、本発明は、メインタンク内の液量を検出する検出工程と、検出工程での検出結果に基づいて、第２循環工程の循環流量を調整する調整工程を備えるという方法を採用する。
このような方法を採用する本発明では、例えばメインタンク内の液量が多い場合には、第２循環工程の循環流量を増加させることにより、サブタンク及びメインタンク内に収容された液体の置換がさらに促進される。
【００１６】
また、本発明は、第１循環工程では、液体噴射ヘッドから液体が非噴射となる圧力を形成する循環流量で、液体を循環させるという方法を採用する。
このような方法を採用する本発明では、第１循環工程で液体が循環しても、液体噴射ヘッドから液体が噴射・漏出しない。
【図面の簡単な説明】
【００１７】
【図１】プリンタ１の全体構成図である。
【図２】インク供給系５の概略図である。
【発明を実施するための形態】
【００１８】
以下、本発明の液体噴射装置における実施の形態を、図１及び図２を参照して説明する。なお、以下の説明に用いる各図面では、各部材を認識可能な大きさとするため、各部材の縮尺を適宜変更している。
また、本実施形態では、液体噴射装置として、顔料を含むインク（液体）を記録媒体である紙等に噴射して配置し、文字や画像等を記録するインクジェット式のプリンタ（以下、単に「プリンタ」と称する）の例を示す。
【００１９】
図１は、本実施形態に係るプリンタ１の全体構成図である。
プリンタ（液体噴射装置）１は、記録媒体である紙等に顔料を含むインク（液体）を噴射して配置し、文字や画像等を記録するものである。プリンタ１は、プリンタ本体２と、キャリッジ駆動系３と、プラテン４と、インク供給系５と、キャッピングユニット６とを有している。
【００２０】
プリンタ本体２は、図１の紙面左右方向で延在しプリンタ１のベースとなる部材であり、キャリッジ駆動系３等が設置されるものである。なお、以下、図１における紙面左右方向を単に「左右方向」と称する。
キャリッジ駆動系３は、後述するキャリッジ３２を移動させるための駆動系であり、ガイド３１と、キャリッジ３２と、モータ３３と、駆動プーリ３４と、従動プーリ３５と、駆動ベルト３６とを有している。
【００２１】
ガイド３１は、プリンタ本体２上に設けられ、左右方向で延在する一対の部材である。
キャリッジ３２は、後述する噴射ヘッド５１及びサブタンク５３が設置される部材であり、一対のガイド３１に左右方向で移動自在に設けられている。
モータ３３は、プリンタ本体２に設けられ、キャリッジ３２を移動させるための電動機である。駆動プーリ３４は、モータ３３の回転軸と一体的に連結され、駆動ベルト３６を巻回するものである。従動プーリ３５は、プリンタ本体２に回転自在に設けられ、駆動ベルト３６を巻回するものである。
【００２２】
駆動ベルト３６は、駆動プーリ３４及び従動プーリ３５に巻回されて架け渡され、モータ３３の駆動によりキャリッジ３２を左右方向で移動させるものである。駆動ベルト３６は、所定の箇所でキャリッジ３２と一体的に接続されている。すなわち、モータ３３の駆動により、駆動プーリ３４が回転し、駆動プーリ３４に巻回された駆動ベルト３６が所定の方向で循環するように移動する。キャリッジ３２は駆動ベルト３６に一体的に接続されているため、駆動ベルト３６の移動によりキャリッジ３２が移動する構成となっている。
【００２３】
プラテン４は、記録媒体である紙等を平面状態で支持するための支持部材である。なお、プリンタ本体２には不図示の搬送部が設けられ、記録媒体は搬送部の作動によりプラテン４上で搬送される。
【００２４】
インク供給系５は、噴射ヘッド（液体噴射ヘッド）５１と、メインタンク５２と、サブタンク５３と、第１循環流路５４（図２参照）と、第１ポンプ５５（図２参照）と、第２循環流路５６と、第２ポンプ５７と、制御部５８（図２参照）とを有している。なお、第１循環流路５４、第１ポンプ５５及び制御部５８の説明は後述する。
【００２５】
噴射ヘッド５１は、複数のノズル５１ａ（図２参照）からインクを噴射し、インクの液滴を記録媒体に着弾させるものであり、キャリッジ３２の下面に、プラテン４に対向して設置されている。
【００２６】
メインタンク５２は、プリンタ本体２に設置され、噴射ヘッド５１に対して供給されるインクを収容する交換式の収容部でる。
サブタンク５３は、例えばメインタンク５２の交換時における噴射ヘッド５１へのインクの安定供給を維持するために、所定量のインクを収容するものであり、キャリッジ３２の上面に設置されている。
【００２７】
第２循環流路５６は、メインタンク５２とサブタンク５３との間でインクを循環して流動させるための流路である。第２循環流路５６は、メインタンク５２とサブタンク５３との間に設けられ、供給側チューブ５６Ａと、還流側チューブ５６Ｂとを有している。
供給側チューブ５６Ａ及び還流側チューブ５６Ｂは、共に可撓性を有する材質（例えばエラストマ等）を用いて形成された管状の部材である。
【００２８】
第２ポンプ５７は、メインタンク５２からサブタンク５３に向けてインクを流動させるためのポンプであり、メインタンク５２と供給側チューブ５６Ａとの間に設けられている。
【００２９】
次に、インク供給系５を、図２を参照してさらに詳細に説明する。
図２は、本実施形態におけるインク供給系５の概略図である。
【００３０】
噴射ヘッド５１は、インクを噴射する複数のノズル５１ａと、インクが貯留される液溜り部５１ｂと、複数のノズル５１ａに各々設けられ駆動信号の印加により振動する不図示の圧電素子とを有している。
【００３１】
メインタンク５２に収容されるインクの最大液量は、噴射ヘッド５１における液溜り部５１ｂの液量の凡そ１００倍である。
メインタンク５２には、メインタンク５２内の液量を検出する検出部５９が設けられている。検出部５９は、その検出結果を後述する制御部５８に出力するために、制御部５８と電気的に接続されている。検出部５９は、メインタンク５２の重量を計測することでメインタンク５２内の液量を検出する機器や、噴射ヘッド５１から噴射されたインク量をカウントしてメインタンク５２内の液量を検出する機器等が用いられる。
【００３２】
サブタンク５３に収容されるインクの液量は、噴射ヘッド５１における液溜り部５１ｂの液量の凡そ１０倍である。
【００３３】
第１循環流路５４は、噴射ヘッド５１とサブタンク５３との間でインクを循環して流動させるための流路である。第１循環流路５４は、噴射ヘッド５１とサブタンク５３との間に設けられ、供給側流路５４Ａと、還流側流路５４Ｂとを有している。
【００３４】
第１ポンプ５５は、サブタンク５３から噴射ヘッド５１に向けてインクを流動させるためのポンプであり、供給側流路５４Ａに設けられている。
【００３５】
制御部５８は、第１ポンプ５５及び第２ポンプ５７の動作を制御するためのものである。制御部５８は、第１ポンプ５５及び第２ポンプ５７に動作信号を出力するため、これらのポンプ５５及び５７と電気的に接続されている。また、制御部５８は、検出部５９の検出結果に基づいて第２ポンプ５７の動作を制御し、供給側チューブ５６Ａにおけるインクの流量を制御できる構成となっている。
【００３６】
なお、供給側チューブ５６Ａの流量は、供給側流路５４Ａの流量の少なくとも１０倍以上に設定されている。すなわち、供給側チューブ５６Ａの流量は、供給側流路５４Ａの流量に対する供給側チューブ５６Ａの流量の比が、噴射ヘッド５１における液溜り部５１ｂの液量に対するサブタンク５３の液量の比以上となる流量に設定されている。
【００３７】
続いて、本実施形態におけるプリンタ１の動作を説明する。なお、本発明はインク供給系５に特徴を有しているため、プリンタ１の全体的な動作は省略しインク供給系５の動作を以下に詳述する。
【００３８】
制御部５８の指示により第１ポンプ５５が作動し、供給側流路５４Ａ内をサブタンク５３から噴射ヘッド５１に向けてインクが流動する。また、同時に、制御部５８の指示により第２ポンプ５７が作動し、供給側チューブ５６Ａ内をメインタンク５２からサブタンク５３に向けてインクが流動する。なお、第１ポンプ５５及び第２ポンプ５７は、プリンタ１の噴射動作中及び停止中のいずれにおいても作動している。
【００３９】
プリンタ１の噴射動作中では、噴射ヘッド５１の不図示の圧電素子が駆動することで、液溜り部５１ｂに貯留されたインクがノズル５１ａから液滴となって噴射され、記録媒体に着弾し文字や画像等を記録する。そのため、噴射ヘッド５１からインクが噴射されることで、液溜り部５１ｂ内のインクが消費される。
【００４０】
ここで、第１ポンプ５５が、サブタンク５３から噴射ヘッド５１に向けてインクを流動させているため、液溜り部５１ｂ内にはインクが補充される。よって、液溜り部５１ｂ内のインクが不足することはなく、噴射ヘッド５１からの安定したインクの噴射が確保されている。
ところで、第１ポンプ５５の作動による供給側流路５４Ａ内のインクの流量は、噴射ヘッド５１がインクを噴射して消費する量よりも多く設定されている。そのため、噴射ヘッド５１に供給されるインクの量がその消費量よりも超過することになり、超過分のインクが還流側流路５４Ｂを介して噴射ヘッド５１からサブタンク５３に向かって流動する。すなわち、第１循環流路５４においてインクが循環して流動する（第１循環工程）。
【００４１】
このように第１循環流路５４においてインクが循環することで、液溜り部５１ｂ内に貯留されているインクの顔料の沈降が始まるまでに、液溜り部５１ｂ内のインクをほぼ置換することができる。したがって、噴射ヘッド５１の液溜り部５１ｂ内におけるインクの顔料の沈降を防止することができる。
【００４２】
なお、第１ポンプ５５がインクを噴射ヘッド５１に向けて流動させることで、液溜り部５１ｂ内の圧力が上昇する。この圧力が高すぎると、圧電素子が駆動せずともノズル５１ａからインクが噴射され漏出する虞がある。そこで、第１循環流路５４におけるインクの流量は、噴射ヘッド５１のノズル５１ａからインクが非噴射となる圧力を形成する流量に設定されている。そのため、ノズル５１ａからのインクの漏出は生じない。
【００４３】
一方、前述の通り、第１ポンプ５５の作動と共に第２ポンプ５７も作動している。
第２ポンプ５７の作動により、メインタンク５２からサブタンク５３に向かってインクが流動する。ここで、供給側チューブ５６Ａの流量は、供給側流路５４Ａの流量の少なくとも１０倍以上に設定されている。
そのため、サブタンク５３に供給されるインクの量がサブタンク５３から排出されるインクの量よりも超過することになり、超過分のインクが還流側チューブ５６Ｂを介してサブタンク５３からメインタンク５２に向かって流動する。すなわち、第２循環流路５６においてインクが循環して流動する（第２循環工程）。
【００４４】
また、第１循環流路５４の流量は供給側流路５４Ａの流量に依存し、第２循環流路５６の流量は供給側チューブ５６Ａの流量に依存することから、第２循環流路５６の流量は、第１循環流路５４の流量の１０倍以上となる。すなわち、第２循環流路５６内のインクは、第１循環流路５４の流量に対する第２循環流路５６の流量の比が、噴射ヘッド５１における液溜り部５１ｂの液量に対するサブタンク５３の液量の比以上となる流量で循環する。
【００４５】
そして、前述の通り、サブタンク５３の液量は液溜り部５１ｂの液量の凡そ１０倍であるが、第２循環流路５６の流量が第１循環流路５４の１０倍以上の流量で流動するため、サブタンク５３内におけるインクの顔料の沈降が始まるまでに、サブタンク５３内のインクをほぼ置換することができる。したがって、サブタンク５３内におけるインクの顔料の沈降を防止することができる。さらに、第２循環流路５６の流量を第１循環流路５４の１００倍以上の流量と設定した場合、つまり第１循環流路５４の流量に対する第２循環流路５６の流量の比が、噴射ヘッド５１における液溜り部５１ｂの液量に対するメインタンク５２の液量の比以上の場合は、第２循環流路５６の流量が増加したことで、メインタンク５２内のインクの置換も迅速に行われることになり、メインタンク５２内におけるインクの顔料の沈降を抑制することができる。
【００４６】
さらに、制御部５８は、検出部５９の検出結果に基づいて、第２循環流路５６の流量を制御し調整する。
まず、検出部５９が、メインタンク５２内の液量を検出し（検出工程）、検出結果を制御部５８に出力する。制御部５８は、この検出結果に基づいて、第２ポンプ５７の作動を制御し、第２循環流路５６の流量を調整する（調整工程）。
【００４７】
サブタンク５３内の液量の変動は多くないが、メインタンク５２の液量は消費されるに従い徐々に減少する。そこで、メインタンク５２内の液量が少なくなるにつれ、第２循環路の流量を減少させてもよい。こうすることで、第２ポンプの作動量を少なくすることができたり、第２循環路の流路の耐久性を向上することができる。ここで、メインタンク５２の液量がサブタンク５３の液量より少ない場合は、サブタンク５３の液量との比で流量を設定するのがよい。
【００４８】
したがって、本実施形態によれば以下の効果を得ることができる。
本実施形態によれば、インク供給系５、特に噴射ヘッド５１、サブタンク５３及びメインタンク５２内に収容されるインクの顔料の沈降を抑制できるという効果がある。
【００４９】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５０】
例えば、上記実施形態では、インクジェット式のプリンタと、インクカートリッジが採用されているが、インク以外の他の液体を噴射したり吐出したりする液体噴射装置と、その液体を収容した液体容器を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であれよい。例えば、物質が液相であるときの状態のものであれば良く、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散または混合されたものなどを含む。また、液体の代表的な例としては上記実施例の形態で説明したようなインクや液晶等が挙げられる。ここで、インクとは一般的な水性インクおよび油性インク並びにジェルインク、ホットメルトインク等の各種液体組成物を包含するものとする。
液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の噴射装置および液体容器に本発明を適用することができる。
【００５１】
また、上記実施形態では、噴射ヘッド５１が記録媒体に噴射する液体としてインクが用いられているが、これに限定されるものではなく、溶媒中に金属微粒子等が分散された機能液等であってもよい。すなわち、本発明を、基板上に上記機能液を吐出して配置することで金属配線等を形成する装置に適用してもよい。
【００５２】
また、上記実施形態では、検出部５９が用いられているが、これに限定されるものではなく、検出部５９を用いることなく第２循環流路５６内を所定の流量でインクが流動するように制御部５８が第２ポンプ５７を制御してもよい。
【００５３】
また、上記実施形態では、第１ポンプ５５、第２ポンプ５７は供給側流路５４Ａ、供給側チューブ５６Ａにそれぞれ設けられているが、還流側流路５４Ｂ、還流側チューブ５６Ｂにそれぞれ設けてもよい。また、第１循環流路５４、第２循環流路５６の液体を循環できれば、それら以外の場所に設けてもよい。
【符号の説明】
【００５４】
１…プリンタ、５１…噴射ヘッド、５２…メインタンク、５３…サブタンク、５４…第１循環流路、５６…第２循環流路、５８…制御部、５９…検出部
【図１】
2010247373.tif 000003
【図２】
2010247373.tif 000004